(57)【特許請求の範囲】
【請求項１】
縦方向に沿って離間している上表面と、下表面とを有する施錠座と、前記施錠座の外側に固設される外蓋と、遮蔽具と、第１ばねと、鎖錠ブロックと、解除ボタンと、復帰ばねとを備える鍵孔遮蔽装置であって、
前記施錠座は、さらに前記上表面から縦方向に沿って前記下表面に延伸されている穿孔を有し、前記施錠座は、また、前記上表面に形成され、かつ前記穿孔と離間している第１枢着部と、溝孔とを有し、
前記外蓋は、さらに端壁を貫通している第１孔と、第２孔と、第３孔とを有し、前記外蓋と前記施錠座との間に、前記第１孔と、前記第２孔と、前記第３孔とに連通する収納空間が定められ、前記外蓋の前記第１孔が前記穿孔と揃うように、前記第２孔が前記第１枢着部と揃うように、前記第３孔が前記溝孔と揃うように位置を合わせ、
前記遮蔽具は、前記収納空間内に収納され、連動杆を有し、前記遮蔽具は、前記穿孔と前記第１孔とを遮蔽する遮蔽位置と、前記穿孔と前記第１孔とを開放する開放位置との間で変位可能であり、
前記第１ばねは、前記遮蔽具と前記施錠座との間に収納され、遮蔽位置に向かう方向に前記遮蔽具を偏圧させ、
前記鎖錠ブロックは、前記第１枢着部と前記第２孔とに枢動可能に枢結され、前記鎖錠ブロックは、前記遮蔽具の前記連動杆と連動する押動杆を有し、前記鎖錠ブロックは、前記第１枢着部によって定められる枢動軸線で鎖錠位置と非鎖錠位置との間で枢動され、
前記解除ボタンは、前記溝孔と、前記第３孔とに移動可能に結合され、前記解除ボタンは、前記溝孔に沿って前記鎖錠ブロックを阻止する第１位置と、前記鎖錠ブロックを阻止しない第２位置との間で変位可能であり、
前記復帰ばねは、前記溝孔内に収納され、かつ前記解除ボタンと前記溝孔の端面との間に位置し、前記復帰ばねは、第１位置に向かう方向に前記解除ボタンを偏圧させ、
前記遮蔽具が開放位置に位置する状態において、前記鎖錠ブロックが非鎖錠位置に位置し、そして前記解除ボタンが第１位置に位置することで、前記鎖錠ブロックを非鎖錠位置に位置決めさせ、かつ前記遮蔽具を開放位置に位置決めさせ、
前記遮蔽具が開放位置に位置し、かつ前記解除ボタンが第１位置から第２位置に変位して前記鎖錠ブロックを解除する状態において、前記第１ばねは、前記遮蔽具を開放位置から遮蔽位置に変位するように偏圧させ、かつ前記連動杆は、前記鎖錠ブロックを非鎖錠位置から鎖錠位置に変位するように偏圧させることで、前記鎖錠ブロックが鎖錠され、かつ前記解除ボタンを第２位置に保持させ、
前記鎖錠ブロックを解錠させ、かつ鎖錠位置から非鎖錠位置に枢動する状態において、前記押動杆は、前記連動杆を偏圧させることで、前記遮蔽具を遮蔽位置から開放位置に変位し、かつ前記解除ボタンを第２位置から第１位置に変位することを特徴とする、鍵孔遮蔽装置。
【請求項２】
前記鎖錠ブロックは、さらに前記第１枢着部の円周方向に囲続して前記押動杆と離間している凸縁を有し、前記解除ボタンは、さらに外周面に形成される位置制限ブロックを有し、
前記鎖錠ブロックが非鎖錠位置に位置し、かつ前記解除ボタンが第１位置に位置する状態において、前記解除ボタンの前記位置制限ブロックを前記鎖錠ブロックの前記凸縁の運動経路上に位置させることで、前記鎖錠ブロックを非鎖錠位置に位置決めさせ、
前記鎖錠ブロックが非鎖錠位置に位置し、かつ前記解除ボタンが第２位置に位置する状態において、前記解除ボタンの前記位置制限ブロックを前記鎖錠ブロックの前記凸縁の運動経路の外に位置させ、前記鎖錠ブロックが前記遮蔽具の偏圧により非鎖錠位置から鎖錠位置に枢動されるのを許容し、
前記鎖錠ブロックが鎖錠位置に位置する状態において、前記解除ボタンの前記位置制限ブロックを縦方向に沿って前記鎖錠ブロックの前記凸縁の下側に当接させることを特徴とする、請求項１に記載の鍵孔遮蔽装置。
【請求項３】
前記外蓋は、さらに縦方向に沿って前記施錠座の前記上表面と離間している前記端壁を有し、前記外蓋は、さらに前記端壁の片側表面に形成され、かつ前記上表面に向かって延伸されるが、前記上表面と離間している係止ブロックを有し、
前記解除ボタンが第１位置に位置する状態において、前記解除ボタンを前記係止ブロックと当接させ、
前記解除ボタンが第２位置に位置する状態において、前記解除ボタンを縦方向に沿って前記係止ブロックと離間していることを特徴とする、請求項１に記載の鍵孔遮蔽装置。
【請求項４】
前記遮蔽具の前記連動杆は、縦方向に沿って前記鎖錠ブロックの前記押動杆と揃うように位置を合わせ、かつ前記連動杆は、前記押動杆と相互に当接していることを特徴とする、請求項１に記載の鍵孔遮蔽装置。
【請求項５】
前記鎖錠ブロックは、さらに前記第１枢着部の円周方向に囲続して前記押動杆と離間している凸縁を有し、前記解除ボタンは、さらに外周面に形成される位置制限ブロックを有し、
前記鎖錠ブロックが非鎖錠位置に位置し、かつ前記解除ボタンが第１位置に位置する状態において、前記解除ボタンの前記位置制限ブロックを前記鎖錠ブロックの前記凸縁の運動経路上に位置させることで、前記鎖錠ブロックを非鎖錠位置に位置決めさせ、
前記鎖錠ブロックが非鎖錠位置に位置し、かつ前記解除ボタンが第２位置に位置する状態において、前記解除ボタンの前記位置制限ブロックを前記鎖錠ブロックの前記凸縁の運動経路の外に位置させ、前記鎖錠ブロックが前記遮蔽具の偏圧により非鎖錠位置から鎖錠位置に枢動されるのを許容し、
前記鎖錠ブロックが鎖錠位置に位置する状態において、前記解除ボタンの前記位置制限ブロックを縦方向に沿って前記鎖錠ブロックの前記凸縁の下側に当接させることを特徴とする、請求項４に記載の鍵孔遮蔽装置。
【請求項６】
前記外蓋は、さらに縦方向に沿って前記施錠座の前記上表面と離間している前記端壁を有し、前記外蓋は、さらに前記端壁の片側表面に形成され、かつ前記上表面に向かって延伸されるが、前記上表面と離間している係止ブロックを有し、
前記解除ボタンが第１位置に位置する状態において、前記解除ボタンを前記係止ブロックと当接させ、
前記解除ボタンが第２位置に位置する状態において、前記解除ボタンを縦方向に沿って前記係止ブロックと離間していることを特徴とする、請求項４に記載の鍵孔遮蔽装置。
【請求項７】
前記遮蔽具の前記連動杆は、ガイド溝を含み、前記鎖錠ブロックの前記押動杆は、さらに底面に形成されるピンを含み、かつ前記鎖錠ブロックの前記押動杆は、縦方向に沿って前記遮蔽具の前記連動杆の下方に位置し、前記押動杆の前記ピンは、前記連動杆の前記ガイド溝内に摺動可能に収納されることで、前記遮蔽具の開放位置と遮蔽位置との間での変位により、前記鎖錠ブロックを非鎖錠位置と鎖錠位置との間で枢動するように連動させることを特徴とする、請求項１に記載の鍵孔遮蔽装置。
【請求項８】
前記鎖錠ブロックは、さらに前記第１枢着部の円周方向に囲続して前記押動杆と離間している凸縁を有し、前記解除ボタンは、さらに外周面に形成される位置制限ブロックを有し、
前記鎖錠ブロックが非鎖錠位置に位置し、かつ前記解除ボタンが第１位置に位置する状態において、前記解除ボタンの前記位置制限ブロックを前記鎖錠ブロックの前記凸縁の運動経路上に位置させることで、前記鎖錠ブロックを非鎖錠位置に位置決めさせ、
前記鎖錠ブロックが非鎖錠位置に位置し、かつ前記解除ボタンが第２位置に位置する状態において、前記解除ボタンの前記位置制限ブロックを前記鎖錠ブロックの前記凸縁の運動経路の外に位置させ、前記鎖錠ブロックが前記遮蔽具の偏圧により非鎖錠位置から鎖錠位置に枢動されるのを許容し、
前記鎖錠ブロックが鎖錠位置に位置する状態において、前記解除ボタンの前記位置制限ブロックを縦方向に沿って前記鎖錠ブロックの前記凸縁の下側に当接させることを特徴とする、請求項７に記載の鍵孔遮蔽装置。
【請求項９】
前記外蓋は、さらに縦方向に沿って前記施錠座の前記上表面と離間している前記端壁を有し、前記外蓋は、さらに前記端壁の片側表面に形成され、かつ前記上表面に向かって延伸されるが、前記上表面と離間している係止ブロックを有し、
前記解除ボタンが第１位置に位置する状態において、前記解除ボタンを前記係止ブロックと当接させ、
前記解除ボタンが第２位置に位置する状態において、前記解除ボタンを縦方向に沿って前記係止ブロックと離間していることを特徴とする、請求項７に記載の鍵孔遮蔽装置。
【発明の詳細な説明】
【技術分野】
【０００１】
本発明は、鍵孔遮蔽装置に係り、特に、バイクの主スイッチロックの外側に取り付けられ、主スイッチロックの錠芯の鍵孔を遮蔽することができ、泥棒による破壊または錠芯の解除を防止できる鎖錠装置に関する。
【背景技術】
【０００２】
市販で得られるバイクは、通常、１組の主スイッチロックが配備され、使用者は、主スイッチロックによりバイクの転向ハンドルを操作して施錠または解錠ができるものであり、しかも主スイッチロックは、バイクの電源システムの給電または断電を制御することもでき、この種の主スイッチロックは、伝統的な機械式錠芯に頼って鎖錠を行い、正確な鍵が錠芯に入り込むように挿入されていない状態において、錠芯を施錠状態に保持させ、こうして主スイッチロックを操作できなくなり、さらに盗難防止効果が達成される。
【０００３】
主スイッチロック上に配置されるこの種の錠芯は、既に非常に長い期間に亘って使用されてきたので、坊間では数多くのクラックまたは破壊する方法があり、主スイッチロックが配置されるこの種のバイクの盗難率が依然として高いままであり、このため、遂に業者は、主スイッチロック上に取り付けられて磁石鍵を使用して解錠する１種の遮蔽装置を研究開発した。この種の遮蔽装置は、可動的な遮蔽具を利用して主スイッチロックの鍵孔を遮蔽または開放することができ、泥棒が簡単に主スイッチロックの錠芯を破壊またはクラックすることができず、バイクの盗難率を低下させるメリットが達成される。
【０００４】
その中の１種の遮蔽装置は、遮蔽具で主スイッチロックの鍵孔をカバーできるように操作するために、遮蔽具上に遮蔽装置の外蓋の外側から突出するレバー部が設置され、遮蔽具が主スイッチロックの鍵孔を開放する開放位置に位置する状態において、かかるレバー部を押動させると、遮蔽具を開放位置から主スイッチロックの鍵孔を遮蔽する遮蔽位置に変位することができ、この種の遮蔽装置の遮蔽具が開放位置に位置する時、そのレバー部が遮蔽装置の外蓋の外側から突出するが、一般の遮蔽装置がバイクの転向ハンドル付近の狭小な空間内に取り付けられるため、遮蔽装置の外側に突出物があれば、一部のバイク上には取り付けられない可能性があり、また、遮蔽具のレバー部が遮蔽装置の外側から突出する必要があるので、外蓋にはレバー部の作動のための比較的に大きい孔を設置する必要があり、泥棒がより容易にこの孔から遮蔽装置を破壊することができる。
【発明の概要】
【発明が解決しようとする課題】
【０００５】
本発明の目的は、鍵孔遮蔽装置を提供することである。
【課題を解決するための手段】
【０００６】
この問題を解決するため、本発明は、施錠座と、外蓋と、遮蔽具と、第１ばねと、鎖錠ブロックと、解除ボタンと、復帰ばねとを備える鍵孔遮蔽装置を提供する。施錠座は、縦方向に沿って離間している上表面と、下表面とを有し、施錠座は、さらに上表面から縦方向に沿って下表面に延伸されている穿孔を有し、施錠座は、また、上表面に形成され、かつ穿孔と離間している第１枢着部と、溝孔とを有する。施錠座の外側に固設される外蓋は、端壁を貫通している第１孔と、第２孔と、第３孔とを有し、外蓋と施錠座との間に、第１孔と、第２孔と、第３孔とに連通する収納空間が定められ、外蓋の第１孔が穿孔と揃うように、第２孔が第１枢着部と揃うように、第３孔が溝孔と揃うように位置を合わせる。かかる収納空間内に収納される遮蔽具は、連動杆を有し、遮蔽具は、穿孔と第１孔とを遮蔽する遮蔽位置と、穿孔と第１孔とを開放する開放位置との間で変位可能である。第１ばねは、遮蔽具と施錠座との間に収納され、第１ばねは、遮蔽位置に向かう方向に遮蔽具を偏圧させる。第１枢着部と第２孔とに枢動可能に枢結される鎖錠ブロックは、遮蔽具の連動杆と連動する押動杆を有し、鎖錠ブロックは、第１枢着部を枢動軸線として鎖錠位置と非鎖錠位置との間で枢動される。解除ボタンは、溝孔と、第３孔とに移動可能に結合され、解除ボタンは、溝孔に沿って鎖錠ブロックを阻止する第１位置と、鎖錠ブロックを阻止しない第２位置との間で変位可能である。復帰ばねは、溝孔内に収納され、かつ解除ボタンと溝孔の端面との間に位置し、復帰ばねは、第１位置に向かう方向に解除ボタンを偏圧させる。
【０００７】
遮蔽具が開放位置に位置する状態において、鎖錠ブロックが非鎖錠位置に位置し、そして解除ボタンが第１位置に位置することで、鎖錠ブロックを非鎖錠位置に位置決めさせ、かつ遮蔽具を開放位置に位置決めさせる。また、遮蔽具が開放位置に位置し、かつ解除ボタンが第１位置から第２位置に変位して鎖錠ブロックを解除する状態において、第１ばねは、遮蔽具を開放位置から遮蔽位置に変位するように偏圧させ、かつ連動杆は、鎖錠ブロックを非鎖錠位置から鎖錠位置に変位するように偏圧させることで、鎖錠ブロックが鎖錠され、かつ解除ボタンを第２位置に保持させる。鎖錠ブロックを解錠させ、かつ鎖錠位置から非鎖錠位置に枢動する状態において、押動杆は、連動杆を偏圧させることで、遮蔽具を遮蔽位置から開放位置に変位し、かつ解除ボタンを第２位置から第１位置に変位する。
【０００８】
本発明の鍵孔遮蔽装置によれば、解除ボタンを押圧することにより、簡単に遮蔽具を開放位置から遮蔽位置に変位することができるため、使用上、非常に高い利便性が得られる。
【０００９】
その中、遮蔽具の連動杆は、ガイド溝を含み、鎖錠ブロックの押動杆は、さらに底面に形成されるピンを含み、かつ鎖錠ブロックの押動杆は、縦方向に沿って遮蔽具の連動杆の下方に位置し、押動杆のピンは、連動杆のガイド溝内に摺動可能に収納されることで、遮蔽具の開放位置と遮蔽位置との間での変位により、鎖錠ブロックを非鎖錠位置と鎖錠位置との間で枢動するように連動させる。
【００１０】
本発明の鍵孔遮蔽装置の遮蔽具は、開放位置だけでなく遮蔽位置でも鎖錠ブロックと連動自在に結合され、このようにして遮蔽具が遮蔽位置に位置する状態において、鎖錠ブロックが鎖錠位置に位置して各磁石で鎖錠されると、枢動できないので、正確な磁石鍵を使用していない状態において、遮蔽具を独自に遮蔽位置から開放位置に枢動できず、つまり、遮蔽具を遮蔽位置から開放位置に枢動するように駆動させるためには、正確な磁石鍵のみに頼って鎖錠ブロックを操作することにより達成するので、本発明の第２実施例の鍵孔遮蔽装置は、遮蔽具を遮蔽位置に変位するように操作するのが非常に便利であるほか、さらにより高い防犯効果が得られる。
【発明の効果】
【００１１】
本発明の鍵孔遮蔽装置は、解除ボタンを鎖錠ブロックに合わせることにより、遮蔽具を開放位置に位置決めさせ、及び鎖錠ブロックを操作することにより、遮蔽具を押動させれば、こうして遮蔽具は、外蓋の外側から突出するレバーで遮蔽具を開放位置から遮蔽位置に変位するように操作する必要がなくなり、さらに各実施例の鍵孔遮蔽装置は、円形の外輪郭を保持させることができ、しかも外蓋の周囲面から突出する物体がなくなり、このようにして各種の車種のバイク上の狭小な空間内に鍵孔遮蔽装置を取り付けるのに有利である。
【図面の簡単な説明】
【００１２】
【図１】本発明の第１実施例の鍵孔遮蔽装置を示す斜視分解図である。
【図２】図１の組み合わせ図である。
【図３】図２の３−３線に沿って見た断面図である。
【図４】図３の４−４線に沿って見た断面図である。
【図５】図３の５−５線に沿って見た断面図である。
【図６】図３に示す遮蔽具が開放位置に位置する状態から遮蔽位置に枢動された後の状態図である。
【図７】図６の７−７線に沿って見た断面図である。
【図８】図６の８−８線に沿って見た断面図である。
【図９】本発明の第２実施例の鍵孔遮蔽装置を示す斜視分解図である。
【図１０】図９の組み合わせを示す横方向断面図で、かつ遮蔽具が開放位置に位置する様子を示す。
【図１１】遮蔽具が開放位置から遮蔽位置に変位した後の状態図である。
【発明を実施するための形態】
【００１３】
全ての図面は、単に基本的な教示を解釈しやすくするためのものであり、図面において、説明用の実施例を構成する部品の数、位置、関係及びサイズの拡大解釈についての説明がなされ、または以下の記述を読み及び理解した後になされる実施の変化は業界の技能に属する。このほか、以下の記述を読み及び理解した後、特定の力、重量、強度及び類似の要求のある精確なサイズ及びサイズ比に合わせる変更もまた業界の技能に属する。
【００１４】
異なる図面において同一または類似の部品には同一の参照符号を付して示す。このほか、本明細書中の「頂部」、「底部」、「第１」、「第２」、「前向き」、「後向き」、「逆方向」、「前」、「後」、「高さ」、「幅」、「長さ」、「端」、「側」、「水平」や「垂直」などの用語及び類似の用語は、単に読図者が図中の構造を便利に参照できるために、及び実施例を記述説明するために補助的に示すものであると理解されたい。
【００１５】
図１乃至図８の図面に示す第１実施例によれば、本発明の鍵孔遮蔽装置１０は、バイク上の主スイッチロック９４に結合されるために用い、主スイッチロック９４の鍵孔を遮蔽または開放する機能を提供してバイクの盗難率を低下させることができ、かかる鍵孔遮蔽装置１０は、施錠座２０を備え、施錠座２０は、円形の１個の基部２２を有し、基部２２は、縦方向に沿って離間している上表面２４と、下表面２６とを有し、基部２２は、さらに上表面２４から下表面２６に延伸されており、かつ基部２２のほぼ中央に位置する穿孔２８を有し、施錠座２０は、さらに下表面２６に形成され、かつ主スイッチロック９４に結合されるスリーブ部３８を有し、スリーブ部３８が穿孔２８と揃うように位置を合わせ、施錠座２０は、さらに上表面２４に形成され、かつ穿孔２８の外側に位置する第１枢着部３０と、第２枢着部３４と、溝孔３６とを有し、第１枢着部３０と第２枢着部３４が縦方向の円周方向に囲続して相互に離間しており、第１枢着部３０は、その端面から縦方向に沿って延伸される４個の収容溝３２を含み（図１、図４参照）、第２枢着部３４は、環状溝３５を含む。
【００１６】
図１乃至図８の図面に示す第１実施例によれば、鍵孔遮蔽装置１０は、さらに施錠座２０の外側に結合される外蓋７６を備え、外蓋７６は、端壁７８と、外蓋７６の外周囲に形成される環状壁８０とを有し、外蓋７６は、さらに端壁７８の外表面から内表面に延伸される第１孔８２と、第２孔８４と、第３孔８６とを有し、外蓋７６は、また、端壁７８の内表面から延伸される係止ブロック８８を有する。外蓋７６の環状壁８０を施錠座２０の基部２２の外側に外嵌し、かつ端壁７８は、縦方向に沿って基部２２と離間しており、外蓋７６と施錠座２０との間に収納空間９０が区画形成され、第１孔８２が穿孔２８と揃うように、第２孔８４が第１枢着部３０と揃うように、第３孔８６が溝孔３６と揃うように位置を合わせる。
【００１７】
図１乃至図８の図面に示す第１実施例によれば、鍵孔遮蔽装置１０は、さらに施錠座２０に枢結される遮蔽具４０を備え、遮蔽具４０は、カバー部４２と、カバー部４２と離間している枢着部４４とを有し、遮蔽具４０は、さらに、外周面に形成される連動杆４６を有する。遮蔽具４０は、外蓋７６と施錠座２０との間の収納空間９０内に収納され、遮蔽具４０の枢着部４４が第２枢着部３４に枢結されることで、遮蔽具４０は、第２枢着部３４によって定められる枢動軸線を軸心としてカバー部４２が穿孔２８と第１孔８２とを遮蔽する遮蔽位置と（図３、図４参照）、カバー部４２が穿孔２８と第１孔８２とを開放する開放位置と（図６、図７参照）の間で変位することができる。
【００１８】
図１乃至図８の図面に示す第１実施例によれば、遮蔽具４０と施錠座２０との間に第１ばね４８が設置され、第１ばね４８は、遮蔽具４０と嵌合する第１脚部５０と、第２枢着部３４と嵌合する第２脚部５２とを有し、第１ばね４８は、第２枢着部３４の環状溝３５内に収納され、かつ遮蔽位置に向かって遮蔽具４０を偏圧させる（図３参照）。
【００１９】
図１乃至図８の図面に示す第１実施例によれば、鍵孔遮蔽装置１０は、さらに第１枢着部３０に枢結される鎖錠ブロック５８を備え、鎖錠ブロック５８は、第１端面に形成され、かつ凹溝状である結合部６４と、第２端面に形成される枢結溝６６とを有し、鎖錠ブロック５８は、さらに枢結溝６６の端面に形成される４個の相互に離間している施錠孔６８を有し、各施錠孔６８が結合部６４と離間しており、鎖錠ブロック５８は、また、外周面に形成される凸縁６０と、鎖錠ブロック５８の円周方向に囲続して凸縁６０と離間している押動杆６２とを有する。鎖錠ブロック５８の枢結溝６６が第１枢着部３０に枢結され、鎖錠ブロック５８は、第１枢着部３０によって定められる枢動軸線で鎖錠位置と（図６、図７参照）、非鎖錠位置と（図３、図４参照）の間で枢動されるのを許容し、かつ鎖錠ブロック５８が鎖錠位置に位置する状態において、鎖錠ブロック５８の各施錠孔６８がそれぞれ対応する収容溝３２と揃うように位置を合わせ、鎖錠ブロック５８の押動杆６２は、遮蔽具４０の連動杆４６と連動自在に結合され、実際上、押動杆６２は、連動杆４６と相互に当接している。
【００２０】
図１乃至図８の図面に示す第１実施例によれば、第１枢着部３０の各収容溝３２内にそれぞれ１個の磁石５４が収納され、かつ各磁石５４と対応する収容溝３２の底面との間に第２ばね５６が収納され、各第２ばね５６は、上表面２４に向かって対応する磁石５４を偏圧させ、鎖錠ブロック５８が鎖錠位置に位置する状態において、各第２ばね５６をオフセットして対応する磁石５４が鎖錠ブロック５８の施錠孔６８内に嵌め込まれることで、鎖錠ブロック５８が各磁石５４で鎖錠されると、鎖錠位置から非鎖錠位置に向かって枢動することができなくなる。
【００２１】
図１乃至図８の図面に示す第１実施例によれば、鍵孔遮蔽装置１０は、さらに縦方向に沿って摺動可能に溝孔３６内に収納される解除ボタン７０と、解除ボタン７０と溝孔３６の端面との間に収納される復帰ばね７４とを備え、解除ボタン７０は、外周面に形成される位置制限ブロック７２を有する。解除ボタン７０の位置制限ブロック７２が溝孔３６の外側に位置し、かつ外蓋７６の係止ブロック８８と揃うように位置を合わせ、解除ボタン７０は、縦方向に沿って第１位置と第２位置との間での変位を許容し、かつ解除ボタン７０が第１位置に位置する状態において、解除ボタン７０の位置制限ブロック７２が縦方向に沿って鎖錠ブロック５８の凸縁６０の運動経路上に位置し（図５参照）、そして位置制限ブロック７２を係止ブロック８８上に当接させ、解除ボタン７０が第２位置に位置する状態において、解除ボタン７０の位置制限ブロック７２を縦方向に沿って鎖錠ブロック５８の凸縁６０の運動経路の外に位置させる（図８参照）。
【００２２】
図２、図３を参照して、これらの図に示すように、説明便宜のため、仮に鍵孔遮蔽装置１０の遮蔽具４０が開放位置に位置し、このような状態において、遮蔽具４０のカバー部４２が穿孔２８及び第１孔８２と離間しており、また、遮蔽具４０が開放位置に位置する状態において、鎖錠ブロック５８が非鎖錠位置に位置し、各磁石５４が鎖錠ブロック５８の施錠孔６８から離脱し、かつ対応する収容溝３２に内縮し、解除ボタン７０が第１位置に位置することで、位置制限ブロック７２が鎖錠ブロック５８を阻止して非鎖錠位置から鎖錠位置に向かって枢動することができないため、遮蔽具４０を開放位置に保持させ、こうして使用者が鍵を第１孔８２と、穿孔２８とを通過してさらに主スイッチロック９４の錠芯内に挿入して解錠するのを許容する。
【００２３】
泥棒による主スイッチロック９４の破壊を防止するために第１孔８２と穿孔２８とを閉鎖しようとする時、解除ボタン７０を押圧することにより、解除ボタン７０が第１位置から第２位置に変位し、こうして解除ボタン７０の位置制限ブロック７２が鎖錠ブロック５８を阻止する凸縁６０の運動経路上から凸縁６０の運動経路の外に変位して、鎖錠ブロック５８が非鎖錠位置から鎖錠位置に枢動されるのを許容し、さらに第１ばね４８は、遮蔽具４０を偏圧させることで、遮蔽具４０を開放位置（図３参照）から遮蔽位置（図６参照）に枢動し、そして遮蔽具４０の連動杆４６で鎖錠ブロック５８の押動杆６２を押動させると、鎖錠ブロック５８を非鎖錠位置（図３、図４参照）から鎖錠位置（図６、図７参照）に枢動する。
【００２４】
遮蔽具４０が遮蔽位置に位置する状態において、鎖錠ブロック５８が鎖錠位置に位置することで、各磁石５４が対応する第２ばね５６の偏圧により、対応する施錠孔６８内に嵌め込まれ、こうして鎖錠ブロック５８を鎖錠位置に位置決めさせ、さらに遮蔽具４０を遮蔽位置に保持させ、さらにかかる解除ボタン７０の位置制限ブロック７２を縦方向に沿って鎖錠ブロック５８の凸縁６０の下方に位置させるため、解除ボタン７０を第２位置上に保持させることができる（図８参照）。
【００２５】
遮蔽具４０が遮蔽位置に位置する状態において、遮蔽具４０を遮蔽位置から開放位置に変位するように駆動させるためには、磁石鍵９２を使用して鎖錠ブロック５８の結合部６４内に挿入する必要があり、磁石鍵９２内の磁石と鍵孔遮蔽装置１０内の磁石５４とが揃うように位置を合わせるが、反発し合うことで、鍵孔遮蔽装置１０内の磁石５４が磁力により、対応する第２ばね５６が押動圧縮され、こうして各磁石５４が鎖錠ブロック５８の施錠孔６８から離脱し、磁石鍵９２を使用して鎖錠ブロック５８を鎖錠位置（図６参照）から非鎖錠位置（図３参照）に枢動されるのを許容する。
【００２６】
鎖錠ブロック５８を鎖錠位置から非鎖錠位置に枢動する時、鎖錠ブロック５８の押動杆６２で遮蔽具４０の連動杆４６を押動させると、遮蔽具４０を遮蔽位置から開放位置に枢動し、かつ鎖錠ブロック５８が非鎖錠位置に枢動された後、鎖錠ブロック５８の凸縁６０が第１枢着部３０によって定められる枢動軸線の円周方向に囲続して解除ボタン７０の位置制限ブロック７２と離間しているため、復帰ばね７４の偏圧により解除ボタン７０を第２位置から第１位置に変位することで、解除ボタン７０の位置制限ブロック７２が縦方向に沿って鎖錠ブロック５８の凸縁６０の非鎖錠位置から鎖錠位置に枢動される経路上に位置し、さらに鎖錠ブロック５８を非鎖錠位置に位置決めさせ、遮蔽具４０を鎖錠ブロック５８の押動杆６２の制限を受けて開放位置に保持させる。
【００２７】
本発明の第１実施例の鍵孔遮蔽装置１０によれば、解除ボタン７０を押圧することにより、簡単に遮蔽具４０を開放位置から遮蔽位置に変位することができるため、使用上、非常に高い利便性が得られる。
【００２８】
図１乃至図８の図面に示す第１実施例の鍵孔遮蔽装置１０のほか、本発明の鍵孔遮蔽装置１０には他の変化もなし得り、図９〜図１１の図面に示す第２実施例の鍵孔遮蔽装置１０は、第１実施例の鍵孔遮蔽装置１０に比べて、本発明の第２実施例の鍵孔遮蔽装置１０との相違点が、遮蔽具４０の連動杆４６は、弧形のガイド溝４６Ａを含み、鎖錠ブロック５８の押動杆６２は、底面に形成されるピン６２Ａを有することだけであり、かつ遮蔽具４０の連動杆４６を縦方向に沿って鎖錠ブロック５８の押動杆６２の下方に位置させ、押動杆６２のピン６２Ａは、連動杆４６のガイド溝４６Ａ内に摺動可能に収納されるため、遮蔽具４０または鎖錠ブロック５８のうちいずれか一方が枢動されれば、他方もそれにつれて対応する枢動が生じることになる。
【００２９】
図１０を参照して、この図に示すように、遮蔽具４０が開放位置に位置する状態において、解除ボタン７０を押圧することにより、解除ボタン７０を第１位置から第２位置に変位した後、遮蔽具４０が第１ばね４８の偏圧を受けて開放位置から遮蔽位置に向かって枢動され、しかも遮蔽具４０の連動杆４６で鎖錠ブロック５８の押動杆６２を押動させると、鎖錠ブロック５８を非鎖錠位置（図１０参照）から鎖錠位置（図１１参照）に向かって枢動する。
【００３０】
図１１を参照して、この図に示すように、遮蔽具４０が遮蔽位置に位置する状態において、磁石鍵９２を使用して鎖錠ブロック５８の鎖錠を解除した後、磁石鍵９２を継続的に使用して鎖錠ブロック５８を鎖錠位置から非鎖錠位置に向かって枢動するように回転させると、連動杆４６は、押動杆６２のピン６２Ａの突き当てにより、遮蔽具４０を遮蔽位置（図１１参照）から開放位置（図１０参照）に向かって枢動する。
【００３１】
本発明の第２実施例の鍵孔遮蔽装置１０の遮蔽具４０は、開放位置だけでなく遮蔽位置でも鎖錠ブロック５８と連動自在に結合され、このようにして遮蔽具４０が遮蔽位置に位置する状態において、鎖錠ブロック５８が鎖錠位置に位置して各磁石５４で鎖錠されると、枢動できないので、正確な磁石鍵９２を使用していない状態において、遮蔽具４０を独自に遮蔽位置から開放位置に枢動できず、つまり、遮蔽具４０を遮蔽位置から開放位置に枢動するように駆動させるためには、正確な磁石鍵９２のみに頼って鎖錠ブロック５８を操作することにより達成するので、本発明の第２実施例の鍵孔遮蔽装置１０は、遮蔽具４０を遮蔽位置に変位するように操作するのが非常に便利であるほか、さらにより高い防犯効果が得られる。
【００３２】
また、各実施例の鍵孔遮蔽装置１０は、解除ボタン７０を鎖錠ブロック５８に合わせることにより、遮蔽具４０を開放位置に位置決めさせ、及び鎖錠ブロック５８を操作することにより、遮蔽具４０を押動させれば、こうして遮蔽具４０は、外蓋７６の外側から突出するレバーで遮蔽具４０を開放位置から遮蔽位置に変位するように操作する必要がなくなり、さらに各実施例の鍵孔遮蔽装置１０は、円形の外輪郭を保持させることができ、しかも外蓋７６の周囲面から突出する物体がなくなり、このようにして各種の車種のバイク上の狭小な空間内に鍵孔遮蔽装置１０を取り付けるのに有利である。
【００３３】
本発明の基本的な教示について説明したが、本発明が上記の実施例に限定されないことは言うまでもない。当該分野における通常の技能を有する者であれば、数多くの拡大解釈と変化を想到し得ることは明らかである。一例を挙げると、鎖錠ブロック５８は、磁石のみを使用して鎖錠と解錠する形式のみならず、鎖錠ブロック５８は、市販で得られる錠芯を採用する形式とすることもできるが、市販で得られる錠芯のみに取替えるとは限らず、さらに錠芯の鎖錠状態を解除するためには金属製の鍵を使用して達成することができるが、本発明の技術分野における通常の知識を有する者であれば、鎖錠ブロック５８から錠芯への取換えを、本発明に開示される技術内容に基づいて容易に行うことができる。
【００３４】
さらに、鎖錠ブロック５８を非鎖錠位置に位置決めさせ、さらに遮蔽具４０を開放位置に保持させるためには、解除ボタン７０の表面に必ずしも位置制限ブロック７２を使用して鎖錠ブロック５８の凸縁６０に合わせる必要はなく、例えば、位置制限ブロック７２の外周面に凸縁６０の通過を許容する欠切溝が形成され、しかも位置制限ブロック７２を凸縁６０の運動経路上に置き、解除ボタン７０が第１位置に位置する状態において、かかる欠切溝が縦方向に沿って凸縁６０と離間しており、こうして鎖錠ブロック５８を非鎖錠位置に位置決めさせることができ、解除ボタン７０が第２位置に移動する状態において、かかる欠切溝が縦方向に沿って凸縁６０と揃うように位置を合わせ、さらに鎖錠ブロック５８が遮蔽具４０の押動により、非鎖錠位置から鎖錠位置に変位するのを許容する。
【００３５】
明細書に開示された本発明は、本発明の精神や大体的な特徴から逸脱しないその他の特定の形式で実施されてもよく、かつこれらの特定の形式の一部の形式は既に開示されてきた。従って、明細書に開示された実施例は、本発明を限定するためのものではなく、例示的に説明するためのものであると考えるべきである。本発明の範囲は、上記の説明によって定められるのではなく、添付の特許請求の範囲によって定められるべきである。その特許請求の範囲の均等の意味と範囲に該当するあらゆる変更は、その範囲内に含まれるものである。
【符号の説明】
【００３６】
１０  鍵孔遮蔽装置
２０  施錠座
２２  基部
２４  上表面
２６  下表面
２８  穿孔
３０  第１枢着部
３２  収容溝
３４  第２枢着部
３５  環状溝
３６  溝孔
３８  スリーブ部
４０  遮蔽具
４２  カバー部
４４  枢着部
４６  連動杆
４６Ａ  ガイド溝
４８  第１ばね
５０  第１脚部
５２  第２脚部
５４  磁石
５６  第２ばね
５８  鎖錠ブロック
６０  凸縁
６２  押動杆
６２Ａ  ピン
６４  結合部
６６  枢結溝
６８  施錠孔
７０  解除ボタン
７２  位置制限ブロック
７４  復帰ばね
７６  外蓋
７８  端壁
８０  環状壁
８２  第１孔
８４  第２孔
８６  第３孔
８８  係止ブロック
９０  収納空間
９２  磁石鍵
９４  主スイッチロック
【図１】
0006403826.tif 000002
【図２】
0006403826.tif 000003
【図３】
0006403826.tif 000004
【図４】
0006403826.tif 000005
【図５】
0006403826.tif 000006
【図６】
0006403826.tif 000007
【図７】
0006403826.tif 000008
【図８】
0006403826.tif 000009
【図９】
0006403826.tif 000010
【図１０】
0006403826.tif 000011
【図１１】
0006403826.tif 000012